(57)【要約】【課題】筐体を大型化することなく洗濯容量を増大させる。【解決手段】洗濯物を出し入れするための開口部５が設けられた筐体３と、筐体３内に開口部５側に開放するように収容された略筒状の水受槽９とを備えたドラム式洗濯機１において、水受槽９の周壁に載置された重り２９と、重り２９に接続されたワイヤ３１と、ワイヤ３１に反開放側から接続されてワイヤ３１の引き込み動作及び引き出し動作を行うことにより、重り２９を水受槽９の開放方向及び反開放方向に移動させるモータ３３と、ドラム式洗濯機１の運転時には、ワイヤ３１が引き出されて水受槽９が傾斜姿勢となるようにモータ３３を制御する一方、ドラム式洗濯機１の停止時には、ワイヤ３１が引き込まれて水受槽９が水平姿勢となるようにモータ３３を制御する制御部５３とを設ける。【選択図】図１
2014050450.tif 000002
【特許請求の範囲】
【請求項１】
洗濯物を出し入れするための開口部が設けられた筐体と、該筐体内に上記開口部側に開放するように収容された略筒状の水受槽と、該水受槽を、略水平方向に開放する水平姿勢、及び上記開口部に向けて斜め上方に開放する傾斜姿勢で支持可能な支持部と、上記水受槽内に上記開口部側に開放するように回転可能に内装された略筒状の洗濯槽とを備えたドラム式洗濯機であって、
上記水受槽には、該水受槽の重心を移動させることにより、ドラム式洗濯機の運転時には上記水平姿勢にする一方、ドラム式洗濯機の停止時には上記傾斜姿勢にする重心移動機構が設けられていることを特徴とするドラム式洗濯機。
【請求項２】
請求項１に記載のドラム式洗濯機であって、
上記重心移動機構は、
水受槽の周壁に載置された重りと、
当該重りを上記水受槽の開放方向及び反開放方向に移動させる重り移動機構と、
上記重りの移動にともなう上記水受槽の重心移動により、ドラム式洗濯機の運転時には上記水受槽が上記水平姿勢となる一方、ドラム式洗濯機の停止時には上記水受槽が上記傾斜姿勢となるように上記重り移動機構を制御する制御部とを備えていることを特徴とするドラム式洗濯機。
【請求項３】
請求項１に記載のドラム式洗濯機であって、
上記重心移動機構は、
貯水部と、
当該貯水部への水の供給、及び当該貯水部に貯まった水の流出を制御することにより上記貯水部の貯水量を増減させて上記水受槽の重心を移動させる制御部とを備えていることを特徴とするドラム式洗濯機。
【請求項４】
請求項３に記載のドラム式洗濯機であって、
上記貯水部は、上記水受槽の周壁下部に、該周壁下部の開放側が反開放側よりも凹むように洗濯槽の外側に形成された凹部であり、該凹部には、水の流出口が形成され、
上記制御部は、上記流出口からの水の流出を制御することにより、上記凹部に貯まった水の流出を制御することを特徴とするドラム式洗濯機。
【請求項５】
請求項３に記載のドラム式洗濯機であって、
上記貯水部は、上記水受槽の周壁下部に、該周壁下部の開放側が反開放側よりも凹むように洗濯槽の外側に形成された凹部であり、
当該ドラム式洗濯機は、上記凹部の水位と、上記水受槽全体の水位とを検出する水位検出部を備え、
上記制御部は、上記水位検出部により検出された上記凹部の水位に基づいて、脱水時に上記水受槽が上記水平姿勢を維持するように、上記水の供給及び流出の制御を行うことを特徴とするドラム式洗濯機。
【請求項６】
請求項３に記載のドラム式洗濯機であって、
上記貯水部は、上記水受槽の周壁下部に、該周壁下部の開放側が反開放側よりも凹むように形成された凹部であり、
上記水受槽の内壁には、上記凹部内に溜まった水が凹部外側に出るのを遮るリブが突設されていることを特徴とするドラム式洗濯機。
【請求項７】
請求項１に記載のドラム式洗濯機であって、
上記水受槽が水平姿勢であるときに、当該水平姿勢が維持されるように上記水受槽を固定するロック機構をさらに備えていることを特徴とするドラム式洗濯機。
【発明の詳細な説明】
【技術分野】
【０００１】
本発明は、洗濯物を出し入れするための開口部が設けられた筐体と、該筐体内に上記開口部側に開放するように収容された略筒状の水受槽と、該水受槽を、略水平方向に開放する水平姿勢、及び上記開口部に向けて斜め上方に開放する傾斜姿勢で支持可能な支持部と、上記水受槽内に上記開口部側に開放するように回転可能に内装された略筒状の洗濯槽とを備えたドラム式洗濯機に関するものである。
【背景技術】
【０００２】
特許文献１に開示されたドラム式洗濯機は、洗濯物を出し入れするための開口部が設けられた筐体と、該筐体内に上記開口部側に開放するように収容された略筒状の水受槽と、該水受槽を、略水平方向に開放する水平姿勢、及び上記開口部に向けて斜め上方に開放する傾斜姿勢で支持可能な支持部と、上記水受槽内に上記開口部側に開放するように回転可能に内装された略筒状の洗濯槽とを備えている。上記筐体の開口部は、支持アームが設けられた蓋により開閉される。一方、上記水受槽の後側端面にはフック部が突設され、該フック部には操作ワイヤが接続され、この操作ワイヤは、筐体底部に設けられた案内ローラに案内されて上記蓋の支持アームに連結されている。そして、上記開口部を開放するように蓋を回動させると、操作ワイヤが下方に引っ張られて水受槽が水平姿勢から傾斜姿勢にされる。
【先行技術文献】
【特許文献】
【０００３】
【特許文献１】特開２００６−２８８９０１号公報
【発明の概要】
【発明が解決しようとする課題】
【０００４】
近年、ドラム式洗濯機において、筐体を大型化することなく洗濯容量を大きくしたいという要望がある。
【０００５】
しかし、上記特許文献１では、操作ワイヤ、及び案内ローラ等、水受槽に外力を加えるための大がかりな装置を筐体内部の水受槽外側に収容する必要があるため、筐体の単位容積あたりの洗濯槽の容量、すなわち容積効率が低下する。したがって、洗濯容量を大きくするためには、筐体を大型化する必要が生じる。
【０００６】
本発明は、かかる点に鑑みてなされたものであり、筐体を大型化することなく洗濯容量を大きくすることを目的とする。
【課題を解決するための手段】
【０００７】
上記の目的を達成するため、本発明は、水受槽の重心を移動させることにより、水受槽の姿勢を切り換えるようにしたことを特徴とする。
【０００８】
具体的には、本発明は、洗濯物を出し入れするための開口部が設けられた筐体と、該筐体内に上記開口部側に開放するように収容された略筒状の水受槽と、該水受槽を、略水平方向に開放する水平姿勢、及び上記開口部に向けて斜め上方に開放する傾斜姿勢で支持可能な支持部と、上記水受槽内に上記開口部側に開放するように回転可能に内装された略筒状の洗濯槽とを備えたドラム式洗濯機を対象とし、次のような解決手段を講じた。
【０００９】
すなわち、請求項１に記載の発明は、上記水受槽には、該水受槽の重心を移動させることにより、ドラム式洗濯機の運転時には上記水平姿勢にする一方、ドラム式洗濯機の停止時には上記傾斜姿勢にする重心移動機構が設けられていることを特徴とする。
【００１０】
これにより、水受槽の重心を移動させる重心移動機構を設ければ、水受槽に外力を加えるための大がかりな装置を筐体内部の水受槽外側に収容する必要がないので、容積効率を向上し、筐体を大型化することなく洗濯容量を大きくできる。
【００１１】
請求項２に記載の発明は、請求項１に記載のドラム式洗濯機であって、上記重心移動機構は、水受槽の周壁に載置された重りと、当該重りを上記水受槽の開放方向及び反開放方向に移動させる重り移動機構と、上記重りの移動にともなう上記水受槽の重心移動により、ドラム式洗濯機の運転時には上記水受槽が上記水平姿勢となる一方、ドラム式洗濯機の停止時には上記水受槽が上記傾斜姿勢となるように上記重り移動機構を制御する制御部とを備えていることを特徴とする。
【００１２】
これにより、重り及び重り移動機構は、筐体内部における水受槽から大きく離れない位置に設置でき、水受槽に外力を加えるための大がかりな装置を筐体内部における水受槽から大きく離れた領域にまで設置しなくてよいので、容積効率を向上し、筐体を大型化することなく洗濯容量を大きくできる。
【００１３】
請求項３に記載の発明は、請求項１に記載のドラム式洗濯機であって、上記重心移動機構は、貯水部と、当該貯水部への水の供給、及び当該貯水部に貯まった水の流出を制御することにより上記貯水部の貯水量を増減させて上記水受槽の重心を移動させる制御部とを備えていることを特徴とする。
【００１４】
これにより、貯水部を、水受槽内、又は筐体内部における水受槽から大きく離れない領域に設置でき、水受槽に外力を加えるための大がかりな装置を筐体内部における水受槽から大きく離れた領域にまで設置しなくてよいので、容積効率を向上し、筐体を大型化することなく洗濯容量を大きくできる。
【００１５】
請求項４に記載の発明は、請求項３に記載のドラム式洗濯機であって、上記貯水部は、上記水受槽の周壁下部に、該周壁下部の開放側が反開放側よりも凹むように洗濯槽の外側に形成された凹部であり、該凹部には、水の流出口が形成され、上記制御部は、上記流出口からの水の流出を制御することにより、上記凹部に貯まった水の流出を制御することを特徴とする。
【００１６】
これにより、凹部、すなわち貯水部が洗濯槽の外側に位置しているので、貯水部に水を貯めて水受槽を水平姿勢にした状態で脱水を行うことができる。
【００１７】
また、水受槽の下側に位置する凹部に流出口が形成されているので、水受槽をほぼ空にすることができる。
【００１８】
また、凹部、すなわち貯水部を水受槽の一部で構成しているので、貯水部と水受槽とで給水口及び流出口を共用できる。したがって、ドラム式洗濯機の構造を簡素化でき、製造コストを削減できる。
【００１９】
請求項５に記載の発明は、請求項３に記載のドラム式洗濯機であって、上記貯水部は、上記水受槽の周壁下部に、該周壁下部の開放側が反開放側よりも凹むように洗濯槽の外側に形成された凹部であり、当該ドラム式洗濯機は、上記凹部の水位と、上記水受槽全体の水位とを検出する水位検出部を備え、上記制御部は、上記水位検出部により検出された上記凹部の水位に基づいて、脱水時に上記水受槽が上記水平姿勢を維持するように、上記水の供給及び流出の制御を行うことを特徴とする。
【００２０】
これにより、水位検出部が凹部の水位と、上記水受槽全体の水位との両方を検出するので、凹部の水位を検出する水位検出部を、上記水受槽全体の水位を検出する水位検出部とは別に設ける場合に比べ、ドラム式洗濯機全体のコストを削減できる。
【００２１】
また、脱水時に洗濯物から水が絞り出されて凹部に流入しても、水位検出部の検出結果に基づいて水の供給及び流出を行うことにより、水受槽の水平姿勢を維持できる。
【００２２】
請求項６に記載の発明は、請求項３に記載のドラム式洗濯機であって、上記貯水部は、上記水受槽の周壁下部に、該周壁下部の開放側が反開放側よりも凹むように形成された凹部であり、上記水受槽の内壁には、上記凹部内に溜まった水が凹部外側に出るのを遮るリブが突設されていることを特徴とする。
【００２３】
これにより、凹部内に溜まった水が凹部外側に出るのをリブが遮るので、凹部内に溜まった水が洗濯槽の回転により凹部外側に飛び出して水受槽の水平姿勢が崩れることを防止できる。
【００２４】
請求項７に記載の発明は、請求項１に記載のドラム式洗濯機であって、上記水受槽が水平姿勢であるときに、当該水平姿勢が維持されるように上記水受槽を固定するロック機構をさらに備えていることを特徴とする。
【００２５】
これにより、ドラム式洗濯機の運転時に水受槽がロック機構により固定されるので、水受槽内の洗濯物の偏りによって水受槽の水平姿勢が崩れることを防止できる。
【発明の効果】
【００２６】
筐体を大型化することなく洗濯容量を大きくできる。
【図面の簡単な説明】
【００２７】
【図１】本発明の実施形態１に係る水受槽が傾斜姿勢にされた状態における洗濯機を示す概略断面図である。
【図２】水受槽が水平姿勢にされた状態における図１相当図である。
【図３】図２のＡ−Ａ線における概略断面図である。
【図４】本発明の実施形態１におけるダンパーの先端周りを示す断面図である。
【図５】実施形態２の図１相当図である。
【図６】実施形態２の図２相当図である。
【図７】実施形態２の水受槽の凹部周りを示す拡大図である。
【発明を実施するための形態】
【００２８】
以下、本発明の実施形態について図面に基づいて説明する。
【００２９】
（実施形態１）
図１〜図４は、本発明の実施形態１に係るドラム式洗濯機１を示す。このドラム式洗濯機１は、筐体３を備え、該筐体３には、洗濯物を出し入れするための略円形の開口部５が形成され、該開口部５は、蓋７の回動によって開閉されるようになっている。上記筐体３内には、略筒状の水受槽９が開口部５側に開放するように収容されている。該水受槽９は、図２に示すように水平方向に開放する水平姿勢、及び図１に示すように開口部５に向けて斜め上方に開放する傾斜姿勢で、１対の支持部としてのサスペンション１１によって筐体３の上部から吊り下げられ、かつ４本の支持部としてのダンパー１３によって下から支持されている。
【００３０】
上記水受槽９の周壁９ａ下部の反開放側寄りには、下方に凹む凹部１７が、後述する洗濯槽４５の外側に位置するように形成され、該凹部１７には、水の流出口１９が形成され、該流出口１９の周縁には全周に亘って筒部２１が下方に向けて一体に突設されている。筒部２１の先端には、流出口１９を開閉する流出弁２０が配設されている。この筒部２１の周壁には、水位計測口２３が形成され、該水位計測口２３は、水受槽９よりも上部に設けられた圧力センサ２５にホース２７を介して接続されている。また、水受槽９の周壁９ａ上部には重り２９が載置され、該重り２９にはワイヤ３１が接続され、該ワイヤ３１にはモータ３３が反開放側から接続されている。このモータ３３は、上記水受槽９に取り付けられ、上記ワイヤ３１の引き込み動作及び引き出し動作を行うことにより、上記重り２９を上記水受槽９の開放方向及び反開放方向に移動させるようになっている。上記ワイヤ３１とモータ３３とで、重り２９を上記水受槽９の開放方向及び反開放方向に移動させる重り移動機構が構成されている。なお、モータ３３の代わりにアクチュエータを利用してもよいし、重り２９の載置箇所は、水受槽９の重心を移動させることができるならば、周壁９ａ上部ではなく、他の箇所であってもよい。
【００３１】
また、水受槽９の上寄りの周壁９ａには、水受槽９に給水する給水口３５が形成されている。該給水口３５は、図示しない給水弁によって開閉される。なお、図３中、５４は洗剤投入口を示す。また、図３では、流出口１９、給水口３５及び凹部１７周りの図示を省略している。なお、流出口１９から流出した水は、循環して給水口３５から再度給水されるようにしてもよいし、排水されるようにしてもよい。
【００３２】
さらに、図４に示すように、水受槽９の周壁９ａ下部の開放側寄りの左右両側には、突出部３７が下方に向けて突設され、各突出部３７の突出端には、上記ダンパー１３の先端が挿入される挿入溝３９が形成されている。各突出部３７の挿入溝３９の外側方には、回動部材４１が当該回動部材４１を駆動するアクチュエータ４３を介して取り付けられている。この回動部材４１は、図４中実線で示す位置、すなわち上記ダンパー１３の先端に外側方から接近してダンパー１３の外側方への移動を規制する位置と、図４中仮想線で示す位置、すなわち上記ダンパー１３の先端から離間する位置との間を回動する。
【００３３】
上記水受槽９内には、当該水受槽９の開放側に開放するように略筒状の洗濯槽４５が回転可能に内装されている。図１及び図２中、Ｃは洗濯槽４５の回転軸を示す。洗濯槽４５の周壁には、洗濯水を洗濯槽４５内に供給又は洗濯槽４５外に排出するための多数の通水孔（図示せず）が形成されている。洗濯槽４５の周壁の内面４５ａには、３つのリフター４７が周方向に互いに間隔をあけて突設されている。また、洗濯槽４５の背面には、洗濯槽４５を指令電圧に応じて回転させる回転モータ４９がシャフト５１を介して取り付けられている。
【００３４】
また、ドラム式洗濯機１の上部には、制御部５３が配設されている。この制御部５３は、流出弁２０及び給水弁の開閉を制御する。また、制御部５３は、重り２９の移動にともなう水受槽９の重心移動により、ドラム式洗濯機１の運転時には上記水受槽９が上記水平姿勢となる一方、ドラム式洗濯機１の停止時には上記水受槽９が上記傾斜姿勢となるようにモータ３３を制御する。詳しくは、制御部５３は、ドラム式洗濯機１の運転時には、ワイヤ３１が引き出されて重り２９が水受槽９周壁９ａ上部の開放側端部に位置する状態となるようにモータ３３を制御する一方、ドラム式洗濯機１の停止時には、ワイヤ３１が引き込まれて重り２９が水受槽９周壁９ａ上部の反開放側寄りに位置する状態となるようにモータ３３を制御する。当該制御部５３と、上記重り２９と、上記重り移動機構（ワイヤ３１及びモータ３３）とで、重心移動機構が構成されている。
【００３５】
また、制御部５３は、アクチュエータ４３も制御する。詳しくは、制御部５３は、ドラム式洗濯機１の停止時には、アクチュエータ４３の制御により、回動部材４１を、図４に仮想線で示す位置、すなわちダンパー１３の先端から離間する箇所に位置させる。そして運転開始後に水受槽９が水平姿勢となると、アクチュエータ４３の制御により、回動部材４１を回動させて、図４に実線で示す位置、すなわちダンパー１３の外側方への移動を規制する箇所に移動させる。この状態では、回動部材４１によりダンパー１３の外側方への移動が規制されることで、水受槽９が固定される。運転の停止後は、水受槽９が傾斜姿勢になる前に、アクチュエータ４３の制御により、回動部材４１を回動させて、図４に仮想線で示す位置、すなわちダンパー１３の先端から離間する箇所に移動させる。水受槽９の重心を反開放側寄りに移動させた後でダンパー１３の移動規制を解除すると、移動規制の解除と同時にドラム式洗濯機１が転倒するおそれがあるが、上述のように水受槽９が傾斜姿勢になる前にダンパー１３の移動規制を解除することにより、ドラム式洗濯機１の転倒を防止できる。上記回動部材４１とアクチュエータ４３と制御部５３とで、ロック機構が構成されている。
【００３６】
上述のように構成されたドラム式洗濯機１では、ドラム式洗濯機１の運転前の停止時には、図１に示すように、制御部５３によるモータ３３の制御により、ワイヤ３１がモータ３３に引き込まれた状態となり、重り２９が水受槽９の周壁９ａ上部の反開放側寄りに位置する。これにより、水受槽９の重心が反開放側寄りに位置し、水受槽９が上記開口部５に向けて斜め上方に開放する傾斜姿勢となる。つまり、回転軸Ｃが、開口部５に向けて上方に傾斜する状態となる。したがって、蓋７を開けて洗濯槽４５に衣類等の洗濯物を入れる作業が容易になる。
【００３７】
一方、ドラム式洗濯機１の洗い、濯ぎ、及び脱水等の運転時には、図２に示すように、制御部５３によるモータ３３の制御により、ワイヤ３１が引き出された状態となり、重り２９が水受槽９の周壁９ａ上部の開放側端部に位置する。これにより、水受槽９の重心が開放方向中程に位置し、水受槽９が略水平方向に開放する水平姿勢となる。つまり、回転軸Ｃが水平な状態となる。したがって、水受槽９の開放側端縁の下部と、筐体３との間に隙間Ｓが確保され、回転する水受槽９の筐体３との干渉が防止される。
【００３８】
また、ドラム式洗濯機１の運転後の停止時においても、運転前の停止時と同様に、水受槽９が傾斜姿勢となる。したがって、蓋７を開けて洗濯槽４５から衣類等の洗濯物を取り出す作業や洗濯物の残りを確認する作業が容易になる。
【００３９】
また、上述のように、水受槽９が傾斜姿勢である間にはドラム式洗濯機１は停止しているので、筐体３と傾斜姿勢の水受槽９との間に挙動に必要な隙間を設ける必要がない。したがって、筐体３を大型化することなく、水受槽９及び洗濯槽４５を大型化できる。
【００４０】
したがって、本実施形態１によれば、重り２９、ワイヤ３１及びモータ３３を、筐体３内部における水受槽９から大きく離れない位置に設置でき、水受槽９に外力を加えるための大がかりな装置を筐体３内部における水受槽９から大きく離れた領域にまで設置しなくてよいので、容積効率を向上し、筐体３を大型化することなく水受槽９及び洗濯槽４５を大型化し、これにより洗濯容量を大きくできる。
【００４１】
また、ドラム式洗濯機１の運転時に水受槽９がロック機構により固定されるので、水受槽９内の洗濯物の偏りによって水受槽９の水平姿勢が崩れることを防止できる。
【００４２】
（実施形態２）
図５〜図７は、実施形態２に係るドラム式洗濯機１を示す。本実施形態２では、凹部１７が、水受槽９の周壁９ａ下部の開放方向全体に亘って、水受槽９の周壁９ａ下部の開放側が反開放側よりも凹むように形成されている。この凹部１７が貯水部の役割を果たす。また、該凹部１７の底部には、流出口１９が下方に向かって反開放側に傾斜するように形成されている。さらに、凹部１７の側壁には、水位計測口２３が水受槽９の開放側に向けて形成され、該水位計測口２３は、水受槽９よりも上部に設けられた水位検出部としての圧力センサ２５にホース２７を介して接続されている。圧力センサ２５により検出される水位は、凹部１７よりも上方にまで水が貯まっている場合には、水受槽９全体の水位となり、凹部１７だけに水が貯まっている場合には、凹部１７の水位となる。
【００４３】
また、水受槽９開放側の凹部１７側壁上縁（水受槽９の内壁）には、平坦な板状リブ５５が突設され、該リブ５５の先端は水受槽９反開放側の凹部１７側壁に接近している。このリブ５５は、凹部１７に溜まった水が上記洗濯槽４５の回転により凹部１７外側に出るのを遮る。
【００４４】
また、制御部５３は、圧力センサ２５により検出された凹部１７の水位に基づいて、凹部１７への水の供給、及び凹部１７に貯まった水の流出を制御することにより凹部１７の貯水量を増減させて水受槽９の重心を移動させる。詳しくは、制御部５３は、ドラム式洗濯機１の停止時には、圧力センサ２５により検出される凹部１７の水位がほぼ０となるように、給水弁（給水口３５）を閉じるとともに流出弁２０（流出口１９）を開放する。一方、制御部５３は、ドラム式洗濯機１の運転時には、圧力センサ２５により検出される凹部１７の水位が水受槽９を水平姿勢にする所定の水位となるように、給水弁及び流出弁２０の開閉（給水口３５及び流出口１９の開閉）を制御する。水受槽９を水平姿勢にする水位は、予め設定されている。
【００４５】
上述のように構成されたドラム式洗濯機１では、ドラム式洗濯機１の運転前の停止時には、図５に示すように、制御部５３が圧力センサ２５の検出結果に基づいて給水弁及び流出弁２０を制御することにより、凹部１７の水位がほぼ０とされる。これにより、水受槽９の重心が反開放側寄りとなり、水受槽９が傾斜姿勢となる。
【００４６】
一方、ドラム式洗濯機１の洗い、濯ぎ、及び脱水等の運転時には、図６に示すように、制御部５３が圧力センサ２５の検出結果に基づいて給水弁及び流出弁２０を制御することにより、凹部１７の水位が上記所定の水位とされる。これにより、水受槽９の重心が開放方向中程に維持され、水受槽９が水平姿勢を維持する。一旦水受槽９が水平姿勢になると、その後水受槽９内に給水されても、水の重さは前後均等にかかることになり、重心位置は移動しない。
【００４７】
ドラム式洗濯機１の運転後の停止時には、流出弁２０が開放されて水が図７に矢印で示す方向に流れ、運転前の停止時と同様に、水受槽９が傾斜姿勢となる。
【００４８】
また、本実施形態２のドラム式洗濯機１は、重り２９、ワイヤ３１、及びモータ３３を備えていない。
【００４９】
その他の構成及び動作は、実施形態１と同じであるので、図５〜図７において同一の構成には同一の符号を付してその詳細な説明を省略する。
【００５０】
したがって、本実施形態２によれば、凹部１７を水受槽９内に設置でき、水受槽９に外力を加えるための大がかりな装置を筐体３内部における水受槽９から大きく離れた領域にまで設置しなくてよいので、容積効率を向上し、筐体３を大型化することなく洗濯容量を大きくできる。
【００５１】
また、凹部１７を水受槽９の一部で構成しているので、凹部１７と水受槽９とで給水口３５及び流出口１９を共用できる。したがって、ドラム式洗濯機１の構造を簡素化でき、製造コストを削減できる。
【００５２】
また、圧力センサ２５が、凹部１７の水位と水受槽９全体の水位との両方を検出するので、凹部１７の水位を検出する水位検出部を、水受槽９全体の水位を検出する水位検出部とは別に設ける場合に比べ、ドラム式洗濯機１全体のコストを削減できる。
【００５３】
また、脱水時に洗濯物から水が絞り出されて凹部１７に流入しても、圧力センサ２５の検出結果に基づいて水の供給及び流出を行うことにより、水受槽９の水平姿勢を維持できる。
【００５４】
また、凹部１７内に溜まった水が凹部１７外側に出るのをリブ５５が遮るので、凹部１７内に溜まった水が洗濯槽４５の回転により凹部１７外側に飛び出して水受槽９の水平姿勢が崩れることを防止できる。
【００５５】
なお、上記実施形態２において、凹部１７に貯まった水を、振動抑制のための重りとして利用するようにしてもよい。これにより、ドラム式洗濯機１に振動抑制のための重りを設ける必要がなくなり、ドラム式洗濯機１を軽量化するとともにコストを削減できる。
【００５６】
また、上記実施形態２において、凹部１７に代えて、水受槽９に外側から結合するタンクを貯水部として水受槽９の外側に設けてもよい。
【００５７】
また、上記実施形態１，２において、サスペンション１１及びダンパー１３を支持部として設けたが、他の方法で水受槽９を支持する部材を支持部として設けてもよい。
【００５８】
また、上記実施形態２において、リブ５５の形状を平坦な板状としたが、リブ５５の形状は平坦な板状に限られず、凹部１７外側への水の飛び出しを抑制できれば、他の形状であってもよい。
【００５９】
また、上記実施形態１，２において、回動部材４１とアクチュエータ４３と制御部５３とでロック機構を構成したが、ロック機構の構成は、水受槽９が水平姿勢であるときに、当該水平姿勢が維持されるように水受槽９を固定する機能を果たす構成であれば、他の構成であってもよい。また、回動部材４１の形状も、上記実施形態１，２で示した形状に限られない。
【００６０】
また、上記実施形態１において、流出弁２０の代わりに排水ポンプを設け、制御部５３が、流出弁２０の開閉に代えて、排水ポンプを駆動させるか否かを制御するようにしてもよい。同様に、実施形態２でも、流出弁２０の代わりに排水ポンプを設け、制御部５３が、流出弁２０の開閉に代えて、排水ポンプの駆動を制御することにより、流出口１９からの水の流出、すなわち凹部１７に貯まった水の流出を制御し、これにより、凹部１７の貯水量を増減させて水受層９の重心を移動させるようにしてもよい。
【産業上の利用可能性】
【００６１】
本発明は、洗濯物を出し入れするための開口部が設けられた筐体と、該筐体内に上記開口部側に開放するように収容された略筒状の水受槽と、該水受槽を、略水平方向に開放する水平姿勢、及び上記開口部に向けて斜め上方に開放する傾斜姿勢で支持可能な支持部と、上記水受槽内に上記開口部側に開放するように回転可能に内装された略筒状の洗濯槽とを備えたドラム式洗濯機として有用である。
【符号の説明】
【００６２】
１      ドラム式洗濯機 
３      筐体 
５      開口部
９      水受槽
９ａ    周壁 
１１      サスペンション（支持部） 
１３      ダンパー（支持部） 
１７      凹部（貯水部、重心移動機構） 
１９      流出口 
２５      圧力センサ（水位検出部）  
２９      重り（重心移動機構）
３１      ワイヤ（重り移動機構、重心移動機構）
３３      モータ（重り移動機構、重心移動機構）
４１      回動部材（ロック機構）
４３      アクチュエータ（ロック機構） 
４５      洗濯槽 
５３      制御部（重心移動機構、ロック機構） 
５５      リブ 
【図１】
2014050450.tif 000003
【図２】
2014050450.tif 000004
【図３】
2014050450.tif 000005
【図４】
2014050450.tif 000006
【図５】
2014050450.tif 000007
【図６】
2014050450.tif 000008
【図７】
2014050450.tif 000009